(57)【要約】【課題】  洋式トイレの座面と便器との間の空隙から、尿が外部に漏れるのを防ぐ尿遮断器を、手軽に使用できるように、低価格で提供する。【解決手段】  洋式トイレの座面２の臀部を載せる空間における、内周の前方部に貼り付けることが可能で、座面２の前方と便器５前方の間の空隙を閉塞し、排尿の際に、尿が便器５の外部に漏れることを防止する機能を備えた、可撓性を有するシートを調製して、尿遮断器１とする。当該シートには防水処理を施した紙や、薄いプラスチックシートを用いることができ、座面への接着には、接着剤または両面粘着テープを用いる。【選択図】図１
0003179512.tif 000002
【実用新案登録請求の範囲】
【請求項１】
洋式トイレの座面の臀部を載せる空間における、内周の前方部に貼り付けることが可能な可撓性を有するシートを有し、座面前方と便器前方の間の空隙を閉塞し、排尿の際に、尿が便器の外部に漏れることを防止する機能を有することを特徴とする尿遮断具。
【請求項２】
前記シートの前記座面に貼り付ける側には、予め接着剤が塗布され、前記接着剤の層の上には離型紙が貼り付けられてなることを特徴とする、請求項１に記載の尿遮断具。
【請求項３】
前記シートの前記座面に貼り付ける側には、予め両面粘着テープが貼り付けられてなることを特徴とする、請求項１に記載の尿遮断具。
【考案の詳細な説明】
【技術分野】
【０００１】  本考案は、洋式トイレで、主に男性が排尿する際に起こる、座面と便器との間からの尿の漏れを防止する器具に関するものである。
【背景技術】
【０００２】  主に男性が排尿する際に、尿が便器外部に漏れることによる周囲の汚損は、通常の男性用の小便器においても問題となっている。さらには、最近普及が著しい洋式トイレにおいては、座面を跳ね上げること必要であることから、便器と座面が別体に構成され、その間に空隙があるため、主に男性が座面に座って排尿する際に、空隙から尿が漏れることがある。【０００３】  そして、特に高齢者の場合、尿意を感じてから、便器の座面に着座するまでに時間がかかるため、準備が十分に整わないうちに、不測の排尿が起こることがあり、漏れが多くなる原因となっている。【０００４】  この対策のため、例えば、特許文献１には、内周側の前方に、下部に張り出した遮断板を一体に成形した便座が開示されている。また、特許文献２には、便器の前部に衝立状の板を吸盤で取り付ける方法が開示されている。【０００５】  しかし、前者は、座面全体または便器全体を交換する必要があり、コストが普及の妨げとなる可能性がある。また、後者は、吸盤で取り付けるため、尿が吸着面に浸透して脱落する可能性がある。
【先行技術文献】
【特許文献】
【０００６】
【特許文献１】  特開２００８−１６１２９８号公報
【特許文献２】  実用新案登録第３１６００５５号公報
【考案の概要】
【考案が解決しようとする課題】
【０００７】  よって、本考案の課題は、低価格で、手軽に使用できる、洋式トイレの尿遮断具を提供することにある。
【課題を解決するための手段】
【０００８】  本考案者は、前記課題に鑑み、簡略な尿遮断具を検討した結果、座面前方の内周側に貼り付ける構造とすることで、紙やプラスチックの薄いシートでも、十分な効果を発現することを見出した結果、本考案をなすに至ったものである。【０００９】  即ち、本考案は、洋式トイレの座面の臀部を載せる空間における、内周の前方部に貼り付けることが可能な可撓性を有するシートを有し、座面前方と便器前方の間の空隙を閉塞し、排尿の際に、尿が便器の外部に漏れることを防止する機能を有することを特徴とする尿遮断具である。【００１０】  また、本考案においては、前記シートの前記座面に貼り付ける側に、予め接着剤を塗布し、該接着剤層の上に離型紙を貼り付けておくか、両面粘着テープを貼り付けておくことにより、シートを座面の内周側に取り付けることが可能である。
【考案の効果】
【００１１】  本考案によれば、薄いシートを座面の内周側に貼り付けることで、座面と便器との間の空隙が閉塞され、シートにかかった尿は、外側に漏れず、便器の内側に誘導されるので、周囲を汚損することなく、便器周囲の床などを清潔に保持することができる。【００１２】  シートには、表面にパラフィンなどを塗布して防水処理を施した紙や、ポリエチレン、ＰＥＴなどからなる、安価なプラスチックフィルムを用いることができるので、数回使用したら廃棄する、つまり、使い捨てにすることも可能で、掃除などの手間を省くことも可能である。
【図面の簡単な説明】
【００１３】
【図１】  本考案の尿遮断具の一例を用いた洋式トイレの側面を示す図。
【図２】  本考案の尿遮断具の一例を座面の内周側に貼り付けた状態を示す図。
【考案を実施するための形態】
【００１４】  次に、本考案の実施の形態を、具体的な図を用いて説明する。
【００１５】  図１は、本考案の尿遮断具の一例を用いた洋式トイレの側面を示す図であり。図２は、本考案の尿遮断具の一例を、座面の内周側に貼り付けた状態を示す図である。図１及び図２において、１は尿遮断具、２は座面の下面の設けられた突起、３は座面、４は座面のカバー、５は便器である。
【００１６】  図に示したように、本考案に係る尿遮断具１は、ほぼ長方形の形状を備えていて、座面３の内周側に、図示していない接着剤層または両面粘着テープにより貼り付けられ、座面３と便器５との間の空隙を閉塞することができる。尿遮断具１の図における下の端部は、便器５の上方の内壁を覆うので、尿遮断具１の方向に放射された尿は、便器５の外部に漏れることなく、便器内に誘導される。また、尿遮断具１は前記のように、薄いプラスチックフィルムなどで構成されるため、可撓性に富み、内壁の形状が異なる便器に、ある程度は対応可能である。
【００１７】  以上に説明したように本考案によれば、洋式トイレの便器外に尿を漏らさないための尿遮断具を、安価に提供できる。これによって、高齢者などを介護する負荷を軽減することができ、極めて有用である。なお、本考案は、前記実施の形態に限定されるものではなく、本考案の分野における通常の知識を有する者であれば想到し得る、各種変形、修正を含む、本考案の要旨を逸脱しない範囲の設計変更があっても、本考案に含まれることは勿論である。
【符号の説明】
【００１８】１    尿遮断具
２    突起
３    座面
４    カバー
５    便器
【図１】
0003179512.tif 000003
【図２】
0003179512.tif 000004
【手続補正書】
【提出日】平成24年8月24日(2012.8.24)
【手続補正１】
【補正対象書類名】実用新案登録請求の範囲
【補正対象項目名】全文
【補正方法】変更
【補正の内容】
【実用新案登録請求の範囲】
【請求項１】
洋式トイレの便器の座面の臀部を載せる空間における、内周の前方部に密着させることが可能な可撓性と、前記座面前方と前記便器前方の間の空隙を閉塞し得る面積を有し、前記座面の内周の前方部に密着させる側には、予め接着剤が塗布され、前記接着剤の層の上には離形紙が貼り付けられてなる、シート形状を有することを特徴とする、排尿の際に尿が便器の外部に漏れることを防止する機能を有する尿遮断具。
【請求項２】
洋式トイレの便器の座面の臀部を載せる空間における、内周の前方部に密着させることが可能な可撓性と、前記座面前方と前記便器前方の間の空隙を閉塞し得る面積を有し、前記座面の内周の前方部に密着させる側には、予め両面粘着テープが貼り付けられてなる、シート形状を有することを特徴とする、排尿の際に尿が便器の外部に漏れることを防止する機能を有する尿遮断具。